(57)【要約】  電子発光システムは、透明な材料でつくられた２次元の第１の電極（２）を有する電子発光装置（１）を備えている。上記第１の電極（２）の広がり面の各々に対して、発光誘電体でつくられた層（３、４）が配設されている。上記発光層（３、４）は透明であり、互いに異なる波長の光を放射することができる材料でつくられている。共通電極（２）と背向する発光層（３、４）の広がり面の各々に電極（５、６）が配設されている。上記発光装置（１）の前側に、透明な材料でつくられた支持層（７）が配置されている。連続する２つの電極（５、２、６）の間に電圧源（１１、１２）が接続されている。
2007510281.tif 000002
【特許請求の範囲】
【請求項１】
透明な材料からなる平坦な第１の電極を有する電子発光装置を備えていて、
上記第１の電極の広がり面の各々に対して誘電体発光層が配設され、
上記発光層のうちの少なくとも１つが透明であり、
上記の共通の電極とは背向する位置関係にある上記発光層の広がり面に対して第２の電極が配設されていることを特徴とする電子発光システム。
【請求項２】
上記電子発光装置が、互いに上下に位置する２つより多い透明な発光層を有し、すべての２つの発光層の対の間に透明な電極が配置され、外側の発光層の自由な広がり面も電極にぴったり取り付けられていることを特徴とする、請求項１に記載の電子発光システム。
【請求項３】
少なくとも上記電子発光装置の前側に位置している電極が透明な材料でつくられていることを特徴とする、請求項１に記載の電子発光システム。
【請求項４】
上記発光層が、互いに異なる波長の光を放射することができる材料でつくられていることを特徴とする、請求項１に記載の電子発光システム。
【請求項５】
上記の広い電子発光装置が３次元の変形部を伴った少なくとも１つの点を有し、上記変形部は、１ｍｍ未満の半径を有し、上記変形部の点にＥＬ装置の少なくとも２つの部分２８、２９が接続され、両部分間で９０°に達することができる角度で伸びていることを特徴とする、請求項１に記載の電子発光システム。
【請求項６】
上記電子発光装置の発光層を制御する装置を備えていることを特徴とする、請求項１に記載の電子発光システム。
【請求項７】
少なくとも１つの誘電体発光層を伴った電子発光装置を備えていて、
上記発光層の広がり面の各々に対して電極が配設され、
関連する電極が導電性の材料からなる平行な細長部材の集合として形成され、
上記細長部材の集合の方向が互いに垂直であり、
上記電極の細長部材が個別的にエネルギ源に関連づけられることができるように構成された制御装置が設けられていることを特徴とする電子発光システム。
【請求項８】
上記発光層が密接した層として構成されていることを特徴とする、請求項７に記載の電子発光システム。
【請求項９】
上記電子発光装置が、互いに上下に位置する複数の透明な誘電体発光層を有し、
上記発光層の発光誘電体が互いに異なる波長の光を放射することができるようになっていて、
これらのすべての２つの発光層の対の間に、細長部材の電極が配置され、
外側の発光層の自由な表面がそれぞれ細長部材の電極を有していることを特徴とする、請求項７に記載の電子発光システム。
【請求項１０】
上記電子発光装置の後側に反射層が配設され、上記反射層の反射表面が、上記電子発光装置の発光層と対向していることを特徴とする、請求項７に記載の電子発光システム。
【発明の詳細な説明】
【技術分野】
【０００１】
本発明は、電子発光装置（エレクトロルミネセンス・デバイス）に関するものである。
【背景技術】
【０００２】
既知のこの種の電子発光装置は、２つの電極の間に配置された誘電体発光層を有している。このようなシステムにおいて、操作時に発光層によって放射される光の色は、発光層の材料の組成によって決まる。この色は、ある１つの電子発光システムにおいては変更することはできない。
【発明の開示】
【発明が解決しようとする課題】
【０００３】
このような現実は、電子発光装置の応用の可能性を制限することになる。
【０００４】
本発明の目的は、このような欠点を除去するとともに、既知の電子発光装置のその他の欠点をも除去することである。
【課題を解決するための手段】
【０００５】
この目的は、請求項１の特徴部分に記載された、本発明に係る一般的な態様の電子発光システムにより達成される。
【発明を実施するための最良の形態】
【０００６】
以下、添付の図面を参照しつつ、本発明の実施の形態をより詳しく説明する。
【０００７】
本発明に係る電子発光システムは電子発光装置１を備えている。なお、以下では、これを略してＥＬ装置１ということにする。このＥＬ装置１は、導電性でありかつ透明である材料からなる平坦な電極（flat electrode）すなわち密接した電極（cohesive electrode）である第１の電極２を有している。なお、この種（type）の材料は一般に知られている。この第１の電極２の広がり面（large surface）の各々は、誘電体発光層３、４を有している。これらの発光層３、４（light layer）は、密接層（cohesive layer）として形成されている（designed）。これらの発光層３、４の材料は、これらの発光層３、４が異なる波長の光を放射することができるように選択される。この種の材料もまた一般に知られている。共通電極２に対して互いに背向している発光層３、４の広がり面に対して、さらなる電極５、６が配置されている。これらの電極５、６もまた透明である。
【０００８】
上記発光層３、４のうちの少なくとも１つの発光層の材料は透明である。例えば、第１の発光層３の材料が透明であり、第２の発光層４の材料が不透明であってもよい。この場合、ＥＬ装置１は、文字Ａで示す方向にのみ光を放射するであろう。ここで、上記のとおり、第１の発光層３の外側に取り付けられた電極５もまた透明である。しかしながら、第２の発光層４及びその外側の表面に取り付けられた電極６も透明であるのがより好ましい。このＥＬ装置１は、第１の発光層３が不透明であれば、文字Ｂで示す方向にのみ光を放射する。また、これらの応用形態として、ＥＬ装置１の両方の広がり面から光を放射するように構成してもよい。このような場合、発光層３、４及び３つの電極２、５、６は透明でなければならない。
【０００９】
外側の電極５又は電極６の一方の広がり面に対して担体７（carrier）が配置され、担体７の上にＥＬ装置１が取り付けられている。この担体７は、大抵の場合透明な材料でつくられる。なぜなら、大抵の応用場面では、担体７はこのＥＬ装置１の前部を構成するからである。以下で説明する本発明に係る装置の１つの実施態様では、担体７は透明ではなく、ＥＬ装置１の後部を構成する。担体７は、剛体であってもよく（rigid）、また可撓性を有するものであってもよい（flexible）。また、担体７の材料は、とくに３次元的に深絞り加工を施す（deep-drawn）ことができるものであってよい。この方策（measure）は、本発明に係るＥＬ装置１の応用可能な領域をさらに広げる。
【００１０】
ＥＬ層３及び４は、２つの電極間に各ＥＬ層３、４が位置する電極２、５又は電極２、６に、対応する電圧を印加したときにのみ発光することができる。このため、本発明に係るＥＬ装置１は、電圧の供給装置１０（supply device）を有する。したがって、供給装置１０は、電子発光装置１の発光層３、４を制御するための装置として機能する（serve）。
【００１１】
図１に示す第１の実施の形態に係る供給装置１０は、互いに直列に接続された２つの電圧源１１及び１２を備えている。直列に接続された電圧源１１、１２の共通点１３（common point）には、導電体１４の一端が接続されている。導電体１４の他端は、ＥＬ装置１の第１の電極ないしは共通電極２に接続されている。第１の電圧源１１の他方の端子は、第１のスイッチ１５を経由して、第１のＥＬ層３の外側ないしは後側に位置する第２の電極５に接続されている。第２の電圧源１２の他方の端子は、第２のスイッチ１６を経由して、第２のＥＬ層４の外側ないしは前側に位置する第３の電極６に接続されている。スイッチ１５及びスイッチ１６のいずれが導通しているかに応じて、ＥＬ装置１は、第１のＥＬ層３の色を伴った光と、第２のＥＬ層４の色を伴った光とを放射することができる。両方のスイッチ１５、１６が導通している場合は、両方のＥＬ層３、４が光を放射する。その結果、ＥＬ装置１は、ＥＬ層３、４の色の加算混合（addition）又は減算混合（subtraction）によって生じる色の光を放射する。
【００１２】
電子発光装置１が、互いに上下に位置している２つより多い、透明でありかつ密着性の（cohesive）発光層（図示せず）を有していてもよいことは明らかである。このような場合、それぞれの隣り合う２つの発光層の対の間に広い表面電極が位置する。このような中間の単数又は複数の電極もまた透明である。外側の発光層の自由な表面もまたそれぞれ電極にぴったり取り付けられ（fitted with）、少なくとも前側の電極５は透明である。すべての２つの電極の対の間に、図１に示すような電圧源が接続され、その結果電圧源はカスケード（cascade）を形成する。
【００１３】
図２は、第２の実施の形態に係る供給装置２０を示している。この供給装置２０は、ただ１つの供給源２１のみを有し、この供給源２１に対して電位差計２２（potentiometer）が並列に接続されている。この供給源２１の第１の端子、ひいては電位差計２２の第１の端子は、第１の導電体２３を経由して、ＥＬ装置１の第２の電極ないしは後側の電極５に接続されている。供給源２１の第２の端子、ひいては電位差計２２の第２の端子は、第２の導電体２４を経由して、ＥＬ装置１の第３の電極ないしは後側の電極６に接続されている。電位差計２２の出力点２５（output point）は、第３の導電体２６を経由して、ＥＬ装置１の第１の電極ないしは共通電極２に接続されている。出力点２５が電位差計２２の抵抗体２７の一方の端部であるか又は他方の端部であるかに応じて、供給源２１の全電圧が、一方のＥＬ層３又は他方のＥＬ層４に印加される。図２に示す出力点２５の位置においては、両ＥＬ層３、４とも電圧が印加された状態にあり、したがって２つのＥＬ層３、４は発光する。その結果、ＥＬ装置１は、２つのＥＬ層３、４の色の加法混合又は減法混合によって生じる色の光を放射する。
【００１４】
放射された光の色をこのようにして選択することができるという事実は、画像を表示するためのスクリーンを形成することを可能にするということを意味する。このようなスクリーンは、とくに静止画像の再生に適している。このようなスクリーンはまた、画像変化の頻度（frequency）が高くない場合は、動画の再生にも適している。図３は、白黒スクリーンの実施例を用いたこのような装置３０の基本原理（principle）を示す斜視図である。
【００１５】
図３は、平坦な（flat）ＥＬ層３の一部を抽出して示した図である。この装置３０の前側の電極３１は、導電性でありかつ透明な材料からなる平行な細長部材（strip）３１１、３１２等を備えている。なお、このような材料自体は既知である。図３に示す実施例では、細長部材３１１、３１２等の第１の集合は上下方向に伸びている（vertical）。この装置３０におけるＥＬ層３の後側の電極３２もまた、導電性でありかつ透明な材料からなる平行な細長部材３２１、３２２等を備えている。なお、このような材料自体は既知である。図３に示す実施例では、細長部材３２１、３２２等の第２の集合は水平方向に伸びている（horizontal）。図３は、このような白黒スクリーン３０の左下の角部を示している。
【００１６】
このＥＬ装置３０のための供給装置（図示せず）は、既知の態様（manner）で構築されている。このため、この供給装置は、予め特定された態様で、細長部材である個々の電極３１１、３１２及び電極３２１、３２２に、連続的に電圧を印加することができる。特定の時刻に、細長部材である電極３１１及び電極３２１に電圧が印加される。このとき、交差する細長部材である電極３１１と電極３２１との間に位置するＥＬ層３の領域Ｃにのみ電圧が作用する。その結果、このときには、ＥＬ層３のこの領域Ｃのみが発光する。次に、供給装置１０が細長部材である電極３１２及び電極３２１に電圧を印加した場合、ＥＬ層３の領域Ｄのみが発光する。このようにして、発光する領域Ｃ、Ｄ等を、ＥＬ装置の全表面にわたる制御により変化させることができる。
【００１７】
図４は、担体７を有するカラースクリーン４０の左下の角部から抽出した部分を、非常に簡略化した形態で示している。この場合、この担体７のＥＬ装置１と対向している表面は、反射性であるか又は反射層を担持しているのが好ましい。例えば、スクリーン上でイエロー、レッド及びブルーの色を組み合わせることにより任意の色の表示を実現することができるということは一般に知られている。その結果、このＥＬ装置４０は、レッドの光を放射することができる電子発光誘電体３Ｇと、ブルーの光を放射することができる電子発光誘電体３Ｒと、ホワイトの光を放射することができる電子発光誘電体３Ｂとが互いに上下に位置する、密着し（cohesive）かつ透明である３つの層を有する。図４に示す図形（diagram）をできるだけ明瞭にするため、図４中の層３Ｇ、３Ｒ及び３Ｂは、これらの参照記号（reference）の記載（reproduction）によってのみ示している。
【００１８】
着色された個々の層３Ｇ、３Ｒ及び３Ｂは、図３において説明した態様により制御される。しかしながら、図３の場合とは対照的に、図４に係るＥＬ装置４０においては、互いに前後して位置する細長部材である電極は３つのすべての発光誘電体３Ｇ、３Ｒ及び３Ｂを制御することが必要とされる。これらの３つの発光誘電体３Ｇ、３Ｒ及び３Ｂは、互いに異なる波長の光を放射することができるようになっている。図４においては、２組の電極の集合が示され、これらはスクリーンの前面の単一の点Ｃでのみ制御することが必要とされる。以下の説明は、同様ないしは類似の態様で、スクリーン表面の他の点（画素）についても当てはまるものである。
【００１９】
図３において前側の電極３１の上下方向に伸びる第１の細長部材３１１が図４においても用いられている。この上下方向に伸びる細長部材３１１の後側にＥＬ層３Ｇが存在する。このＥＬ層３Ｇの後側に、水平方向に伸びる第１の細長部材Ｇ３２１が存在する。なお、ここで、この水平方向に伸びる細長部材Ｇ３２１の数字に接頭語Ｇを付している。画素Ｃひいてはその光を制御するために、細長部材３１１及び細長部材Ｇ３２１に、必要な電圧が印加される。
【００２０】
水平方向に伸びる細長部材Ｇ３２１の後側に、ＥＬ層３Ｒが存在する。このＥＬ層３Ｒは、ＥＬ層３Ｇと同様に平坦であり、上下方向ないしは水平方向に伸びる複数の細長部材である電極に対向して位置している。ＥＬ層３Ｒの後側に、上下方向に伸びる細長部材Ｒ３１１が存在する。なお、ここで、上下方向に伸びる細長部材Ｒ３１１の数字に接頭語Ｒを付している。そして、ここで、画素Ｃは発光し、制御電圧が細長部材である電極Ｇ３２１及びＲ３１１に印加される。かくして、水平方向に伸びる細長部材Ｇ３２１は、図１に示す共通電極２に関して説明したのと同様ないしは同一の手法で、ＥＬ層３Ｇの制御を実行するだけではなく、ＥＬ層３Ｒの制御も実行する。
【００２１】
上下方向に伸びる細長部材Ｒ３１１の後側に平坦なＥＬ層３Ｂが存在し、このＥＬ層３Ｂの後側に水平方向に伸びる細長部材Ｂ３２１が配置されている。そして、ここで、画素Ｃは発光し、制御電圧が細長部材である電極Ｂ３２１及びＲ３１１に印加される。上下方向に伸びる細長部材Ｒ３１１は、図１に示す共通電極２に関して説明したのと同様ないしは同一の手法で、ＥＬ層３Ｒの制御を実行するだけでなく、ＥＬ層３Ｂの制御も実行する。しかしながら、水平方向に伸びる細長部材Ｂ３２１は、図１に示す後側の電極６としてのみ機能する。画素Ｃが上記基本色の組み合わせによって生じる色を表示することになっている場合は、既知の態様で細長部材である当該電極に、対応する電圧が印加される。細長部材の形状の交差電極の制御はまた、マトリクス制御（matrix control）ということができる。しかしながら、画素により透明な発光層３Ｇ、３Ｒ及び３Ｂを制御することも可能である。このような画素の制御自体は既知である。
【００２２】
また、本発明に係る電子発光システムは、湾曲させることができるだけでなく、例えば引き延ばし加工を施したり深絞り加工を施したりして（deep-drawn）、３次元的に形成することができる構成としてもよい。図５は、図４に示す描写（depiction）から生じるＥＬ装置４０の深絞り加工点から抽出した部分を示している。図５に示す平坦なスクリーン４０の深絞り加工点からの抽出部分は、２つの部分２８及び２９を備えていて、両部分は９０°の曲げ角度をなしている。ＥＬ装置４０には極めて大きい可撓性（flexibility）をもたせることが可能であり、例えば、曲げ領域における曲げ半径を１ｍｍ未満とすることさえも可能である。なぜなら、発光層３Ｇ、３Ｒ及び３Ｂの材料は、非常に高い可撓性を有し、かつ個々の層、すなわちスクリーンの電極及び発光層は両方とも、曲げ加工処理時に接着して互いに転移不可能となる（unshiftingly）からである。この技術は、本願出願人の所有ないしは特許出願に係る国際公開第０３／０３７０３９号パンフレットにおいて詳細に説明されている。図４に示す描写のほか、図５に係るスクリーン４０は、外側の電極３１１に設けられた被覆層３４（cover layer）を有している。
【００２３】
ここで説明した形態（type）のスクリーンは、接触（contact）に対して敏感（sensitive）ではなく、かつ曲げることができ、深絞り加工を施すことも可能であり、さらに従来の印刷処理（printing process）、例えばスクリーン印刷（screen printing）で製造することができるといった利点がある。
【図面の簡単な説明】
【００２４】
【図１】本発明の第１の実施の形態の構成を示す一部断面立面図である。
【図２】本発明の第２の実施の形態の構成を示す一部断面立面図である。
【図３】本発明に係るモノクロスクリーンの基本原理を示す、システムの拡大斜視図である。
【図４】本発明に係るカラースクリーンの基本原理を示す、システムの拡大斜視図である。
【図５】図４に示すシステムの一部を抽出して示す拡大された立面断面図であり、この図５は、装置が深絞り加工が施された後における図４に示すシステムの個々の層の経路（course）に追随している。
【符号の説明】
【００２５】
１  電子発光装置（ＥＬ装置）、２  第１の電極、３  発光層（ＥＬ層）、４  発光層（ＥＬ層）、５  電極、６  電極、７  担体、１０  供給装置、１１  電圧源、１２  電圧源、１３  共通点、１４  導電体、１５  第１のスイッチ、１６  第２のスイッチ、２０  供給装置、２１  供給源、２２  電位差計、２３  第１の導電体、２４  第２の導電体、２５  出力点、２７  抵抗体。
【図１】
2007510281.tif 000003
【図２】
2007510281.tif 000004
【図３】
2007510281.tif 000005
【図４】
2007510281.tif 000006
【図５】
2007510281.tif 000007
【国際調査報告】
2007510281.tif 000008
2007510281.tif 000009
2007510281.tif 000010
2007510281.tif 000011
2007510281.tif 000012
2007510281.tif 000013
2007510281.tif 000014
2007510281.tif 000015
2007510281.tif 000016
2007510281.tif 000017